(57)【要約】      （修正有）【課題】厚みのある割れ物等の収納物の収納に有用で、低コストで製造することができるマチを有する緩衝材付き包装用袋体を提供する。【解決手段】内側に緩衝材４が形成された緩衝材付き包装用袋体において、長方形状で片面に緩衝材４を有するシートの、略中央にある第１折り曲げ線６で緩衝材４を有する面を外側に１８０°折り返し、第１折り曲げ線６で分割された両シート片５ａ、５ｂの第１折り曲げ線６から所定間隔を空けた第２折り曲げ線７で緩衝材４を有する面を内側に１８０°折り返し、両シート片５ａ、５ｂの折り曲げ線６、７と垂直な辺同士を接合部で接合し、袋体の開口部の対向辺に内側に折り込んだ凹部が形成される。【選択図】図３
0003234908.tif 000002
【実用新案登録請求の範囲】
【請求項１】
長方形の平板状の袋体で、一辺が開口部となり他の三辺が閉鎖された構造で、内側に緩衝材が形成された緩衝材付き包装用袋体において、
長方形状で片面に緩衝材を有するシート体の、略中央にある第１折り曲げ線で緩衝材を有する面を外側に１８０°折り返し、第１折り曲げ線で分割された両シート片の第１折り曲げ線から所定間隔を空けた第２折り曲げ線で緩衝材を有する面を内側に１８０°折り返し、両シート片の折り曲げ線と垂直な辺同士を接合し、袋体の開口部の対向辺に内側に折り込んだ凹部が形成された構造としたことを特徴とする緩衝材付き包装用袋体。
【考案の詳細な説明】
【技術分野】
【０００１】
この考案は、宅配や郵送用の包装袋に関し、更に詳しくは内部に緩衝材を有することで輸送時や保管時の外から衝撃から内部の収納物を保護することができる包装袋に関する。
【背景技術】
【０００２】
従来、宅配又は郵送における包装用の袋体として、収納物を保護するために、紙製やビニール製の外袋と、合成樹脂製の気泡を多数配置した緩衝材から形成された内袋からなる２層構造の包装袋が種々存在する。
【０００３】
ところで、緩衝材が必要な収納物としては、割れ物やＣＤ、ＤＶＤ等の音楽、映像ディスク等があるが、これらのものは立体形状のものや、平板状でも厚みがあり、複数枚を重ねると厚みが大きくなるものがある。
【０００４】
包装用袋体の一般的な構成は長方形のシートや用紙を２つに折り曲げたり、又は別体の２枚を重ねて、開口部として残す１辺を除く他の辺を接合して袋体としているが、この中に上記割れ物やディスク類を収納すると、これらの収納物により袋体が脹らみ全体としていびつな形となる。
【０００５】
具体的には収納物が収納された中央部が脹らみ、周囲のシートの辺の接合部が突出する形となるが、薄い収納物の場合は全体として普通の封筒と同様で取り扱いできるが、厚みのある収納物を入れた場合、脹らんだ中央部からその周囲に平たい接合部からなる部分が突出することになり、包装用袋体を取り扱う際に、突出部が手に当たって怪我をしたりおそれがあると共に、突出した部分の存在により収納物に対して袋体の占める面積が大きくなり、運搬や保管時に場所を取り過ぎることになる。
【０００６】
そこで、特許文献１や特許文献２のように、厚みのある収納物の収納を前提として、周囲にマチ部を形成した包装用袋体も提案されている。
【先行技術文献】
【特許文献】
【０００７】
【特許文献１】特許第６１３０６５７号公報
【特許文献２】特許第６１３０６７１号公報
【考案の概要】
【考案が解決しようとする課題】
【０００８】
ところで、マチ付きの包装用袋体は、一般的な構成である前記長方形のシート等を重ね合わせて周囲を接合するものに比較して、マチ部を得るためその構造が複雑になり、製造コストが高くなる問題があった。
【０００９】
そこで、この考案は、上記課題を解決し、厚みのある割れ物等の収納物の収納に有用な緩衝材付き包装用袋体において、低コストで製造することができるマチ付き包装用袋体を提供することを課題とする。
【課題を解決するための手段】
【００１０】
上記の課題を解決するため、この考案は、長方形の平板状の袋体で、一辺が開口部となり他の三辺が閉鎖された構造で、内側に緩衝材が形成された緩衝材付き包装用袋体において、長方形状で片面に緩衝材を有するシート体の、略中央にある第１折り曲げ線で緩衝材を有する面を外側に１８０°折り返し、第１折り曲げ線で分割された両シート片の第１折り曲げ線から所定間隔を空けた第２折り曲げ線で緩衝材を有する面を内側に１８０°折り返し、両シート片の折り曲げ線と垂直な辺同士を接合し、袋体の開口部の対向辺に内側に折り込んだ凹部が形成された構造としたことを特徴とする緩衝材付き包装用袋体である。
【考案の効果】
【００１１】
以上のように、この考案の包装用袋体によれば、通常の１枚のシートの所定部分を折り曲げて接合するといった簡単な製造方法により、製品コストを上げずに、マチ部を有する緩衝材付き包装用袋体を得ることができる。
【００１２】
また、収納物を収納する前の状態、即ち、包装用袋体としての製品の保管時や輸送時並びに販売時は、通常の厚みの殆ど無い平板状となっているので、重ね置きができ、場所を取らず取り扱いが容易である。
【図面の簡単な説明】
【００１３】
【図１】この考案の包装用袋体の正面図である。
【図２】この考案の包装用袋体を構成するシートの平面図で、（Ａ）は表側、（Ｂ）は緩衝材を設けている裏面側である。
【図３】この考案の包装用袋体を製造する工程を示す斜視図である。
【図４】この考案の包装用袋体の要部拡大正面図である。
【図５】この考案の包装用袋体のマチ部を拡大した状態を示す左側面図である。
【図６】この考案の包装用袋体のマチ部を拡大した状態を示す斜視図である。
【考案を実施するための形態】
【００１４】
以下、この考案の実施形態について添付図面に基づいて説明する。
図１で示すものは、完成した製品としての包装用袋体１であり、製品の保管時や輸送時並びに販売時は、通常の厚みの殆ど無い平板状として取り扱いが可能である。
【００１５】
この包装用袋体１の構造は、１枚のシート５を折り曲げて重ねて両辺を溶着部８により溶着して袋体２を形成し、上部には封印せず開口部３とし、重ねた一方のシート５の上端部をもう片方のシート５の上端部より上に突出させることで、収納物収納後に開口部３を閉鎖するための封印片１０を有している。
【００１６】
なお、シート５の材質としては、紙製、合成樹脂製のいずれでもかまわない。要するに可撓性がありシート状になる材質のものであれば特に材料は限定されないが、いわゆるグレーフィルムのような不透明材質のものが、プライベートな収納物を収納したりする際やセキュリティの点からも好ましい。
【００１７】
なお、図１には示されていないが、内側面には後述の緩衝材４が全面に設けられており、収納物を衝撃から保護するようになっている。
【００１８】
袋体２の開口部３の対向辺にはシート２を内側に折り込んだ凹部９が形成されており、この部分が厚みのある収納物を収納した際、マチ部を形成する役目を持つ。
【００１９】
次に、この考案の包装用袋体１の製造方法を図２と図３を用いて説明する。
まず、図１で示す包装用袋体１の完成品の短辺方向の幅が同一で、長辺方向に約２倍の長さとなるシート５を用意する。
【００２０】
このシート５は、内側となる側（裏面）には、後に封印片１０となる部分を片端部に有し残り全面に緩衝材４がシート５と一体になって設けられている。緩衝材４としては、ビニール製で空気を封印した空気室を多数設けた気泡緩衝材など既知のものが一般的であるが、これに限定されず、既知の緩衝材でシート状になるものであれば限定されない。
【００２１】
次にシート５の略中央（裏面の緩衝材４を有する部分の中央部）にあり、シート５の幅方向に沿った第１折り曲げ線６にて、緩衝材４を有する面（裏面）を外側にシート５を山折り状に折り返す。
【００２２】
次に、第１折り曲げ線６で分割された両シート片５ａ、５ｂの第１折り曲げ線６から所定間隔を空けて第１折り曲げ線６と平行に設けられた第２折り曲げ線７にて、緩衝材４を有する面（裏面）を内側にシート５を谷折り状に折り返す。
【００２３】
これら第１折り曲げ線６と第２折り曲げ線７を１８０°折り返すことで、両シート片５ａ、５ｂが重なり合い、両シート片５ａ、５ｂの第１折り曲げ線６、第２折り曲げ線７と垂直となる両辺同士を接合部８で接合すると、図１で示したように、袋体２の上側に開口部３を、下側に第１折り曲げ線と第２折り曲げ線の間隔と同じ深さの内側に折り込んだ凹部９が形成された緩衝材付き包装用袋体１が得られる。
【００２４】
また、得られた緩衝材付き包装用袋体１も、保管時、輸送時、販売時は、通常の厚みの殆ど無い平板状となっているので、重ね置き等が可能で場所を取らず、取り扱いが容易である。
【００２５】
次に、この考案の緩衝材付き包装用袋体１に、割れ物やＣＤ、ＤＶＤ等の音楽、映像ディスク等の立体形状のものや、平板状でも複数枚収納により厚みが生じる収納物を収納する状態について説明する。
【００２６】
まず、開口部３に幅のある収納物を収納、或いは収納前に予め手を入れることで、袋体２を構成するシート片５ａとシート片５ｂを引き離して内部の空間を拡げる。
【００２７】
この際、図４で示した凹部９においても、両側のシート片５ａ、５ｂが引き離されることになり、その際、第２折り曲げ線５を、シート片５ａ側を第２折り曲げ線７ａ、シート片５ｂ側を第２折り曲げ線７ｂとする
【００２８】
更に、凹部９を構成するシート片５ａ及びシート片５ｂにおいて、袋体２の拡張に伴って折り曲げられる線を、シート片５ａ側を折り曲げ線１１ａ、１２ａ、シート片５ｂ側を１１ｂ、１２ｂとして説明する。
【００２９】
まず、凹部９において１８０°折り曲げられていた第１折り曲げ線６が、シート片５ａと５が引き離されることで折り曲げが解消されて、図５や図６に示すように、折り曲げが解消され、シート片５ａと５ｂが面一となり、底面が出現する。
【００３０】
同時に、斜め４５°の角度の部分で折り曲げ線１１ａおよび１１ｂが側部のマチ部の内側に１８０°折り曲げられて形成される。
【００３１】
更に、折り曲げ線１２ａと１２ｂが、図５や図６に示すように、底面の側面側に９０°折り曲げられて形成される。
【００３２】
第２折り曲げ線７ａ、７ｂは、１８０°折り曲げられた状態から９０°折り曲げられた状態となり、底面の前方及び後方の辺を形成する。
【００３３】
以上のように、マチ部による厚みは、元に形成された凹部の深さ（第１折り曲げ線６と第２折り曲げ線７の間隔）の２倍の幅と限定されるが、シート５による袋体２は、柔軟性、可撓性を有するので、多少の膨らみを許容するので、各種寸法の厚みのある収納物を余裕を持って容易に収納できる。
【００３４】
更に、収納物を収納後、シート片５ｂ側にある封印片１０をシート片５ａ側に折り返して封鎖することで、開口部３が封印され収納物は袋体２内に封入される。この際、図示はしていないが、封印片１０のシート片５ａに重なる側に予め粘着層や接着層を形成しておき、普段は粘着層や接着層の上に剥離テープを貼り付けておき、開口部３の封印の際に剥離テープを剥がして現れた粘着層や接着層により封印片１０をシート片５ａに固定するといった既知の封印方法を使用することができる。
【００３５】
また、収納物の封入後は、溶着された接合部８は、マチが形成された側面から少し突出するだけであり、平板状袋にて突出した溶着部のように取り扱い時に手に怪我をするおそれも少ないことになる。
【００３６】
この考案の緩衝材付き包装用袋体１の製造工程と使用状況は以上説明した通りであり、片面が緩衝材と一体となったシートを所定の折り曲げ線に沿って折り曲げて溶着等により接合するといった簡単な工程で得られるので、製造コストも上がらないと共に、収納物の収納時は簡単にマチ部が形成され、厚みのある収納物を緩衝材により包んで収納できる。
【００３７】
なお、この考案の緩衝材付き包装用袋体は、実施形態や図面に示したものに限定されるものではなく、この考案の目的の範囲内で、適宜設計変更して実施することができる。
【符号の説明】
【００３８】
１  包装用袋体
２  袋体
３  開口部
４  緩衝材
５  シート
５ａ、５ｂ  シート片
６  第１折り曲げ線
７  第２折り曲げ線
８  接合部
９  凹部
１０  封印片
１１ａ、１１ｂ、１２ａ、１２ｂ  折り曲げ線
【図１】
0003234908.tif 000003
【図２】
0003234908.tif 000004
【図３】
0003234908.tif 000005
【図４】
0003234908.tif 000006
【図５】
0003234908.tif 000007
【図６】
0003234908.tif 000008